(57)【要約】【課題】  より高画質な画像を得ることができ、製品歩留りを向上させることができる撮像装置を提供する。【解決手段】  ＣＣＤ２を搭載したデジタルカメラ２０は、撮像信号のうちの青色の信号Ｂの出力端に接続されたノッチフィルタ（ＮＦ）５２を備える。ＮＦ５２は、被写体の色温度が予め設定された閾値よりも小さく、且つ赤色と青色の信号Ｒ、Ｂに対する増幅値が予め設定された閾値よりも大きいときに作動し、撮像信号の転送クロックの周波数をサンプリング周波数ｆｓとして、その１／２のナイキスト周波数１／２ｆｓの信号に対して急峻な減衰を施して、ＶＣＣＤ１１の転送不良に起因する縦線キズが抑制された信号Ｂ’を出力する。【選択図】        図３
2007088621.tif 000002
【特許請求の範囲】
【請求項１】
２次元配置された複数の光電変換素子と、光電変換素子の垂直列毎に設けられ、各光電変換素子からの信号電荷を垂直転送する複数本の垂直ＣＣＤと、垂直ＣＣＤから転送される１ライン分の信号電荷を水平転送する水平ＣＣＤとを有し、信号電荷に応じた撮像信号を出力する固体撮像素子が搭載された撮像装置において、
垂直ＣＣＤの転送不良に起因する縦線キズを抑制する縦線キズ抑制手段を備えたことを特徴とする撮像装置。
【請求項２】
前記縦線キズ抑制手段は、同一列の垂直ＣＣＤで赤色と青色を転送する場合に作動することを特徴とする請求項１に記載の撮像装置。
【請求項３】
前記縦線キズ抑制手段は、前記固体撮像素子で撮像される被写体の色温度が予め設定された閾値よりも小さいときに作動することを特徴とする請求項１または２に記載の撮像装置。
【請求項４】
前記縦線キズ抑制手段は、前記撮像信号のうちの赤色と青色の信号に対する増幅値が予め設定された閾値よりも大きいときに作動することを特徴とする請求項１ないし３のいずれかに記載の撮像装置。
【請求項５】
前記縦線キズ抑制手段は、前記縦線キズに対応する特定の周波数の信号に対して急峻な減衰を施す特定帯域減衰フィルタであることを特徴とする請求項１ないし４のいずれかに記載の撮像装置。
【請求項６】
前記特定帯域減衰フィルタは、前記撮像信号のうちの青色の信号の出力に接続されていることを特徴とする請求項５に記載の撮像装置。
【請求項７】
前記特定の周波数は、前記撮像信号の転送クロックの周波数をサンプリング周波数として、その１／２のナイキスト周波数であることを特徴とする請求項５または６に記載の撮像装置。
【請求項８】
前記縦線キズ抑制手段は、ＩＳＯ感度を予め設定された値の範囲内で下げるＩＳＯ感度調節手段であることを特徴とする請求項１ないし４のいずれかに記載の撮像装置。
【請求項９】
前記固体撮像素子は、前記垂直ＣＣＤから転送される１ライン分の信号電荷を一旦蓄積して前記水平ＣＣＤに出力するラインメモリを有し、
前記縦線キズ抑制手段は、前記垂直ＣＣＤと前記ラインメモリ、および／または前記ラインメモリと前記水平ＣＣＤの間の、前記信号電荷を転送する際の電位ポテンシャルが、後段に向けて急勾配となるように、前記ラインメモリ、および／または前記水平ＣＣＤに印加する電圧を上げる電圧調節手段であることを特徴とする請求項１ないし４のいずれかに記載の撮像装置。
【発明の詳細な説明】
【技術分野】
【０００１】
本発明は、固体撮像素子を搭載した撮像装置に関する。
【背景技術】
【０００２】
デジタルカメラやカメラ付き携帯電話などの撮像装置に搭載される固体撮像素子として、ＣＣＤイメージセンサ（ＣＣＤ）が知られている。ＣＣＤは、行列状に２次元配置され、入射光をその光量に応じた信号電荷に変換して蓄積する複数個の光電変換素子（画素）と、光電変換素子の垂直列毎に設けられ、各光電変換素子からの信号電荷を垂直転送する複数本の垂直ＣＣＤと、垂直ＣＣＤから転送される１ライン（行）分の信号電荷を水平転送する水平ＣＣＤとを有し、信号電荷に応じた撮像信号を出力する。
【０００３】
上記のようなＣＣＤでは、欠陥画素による白キズや、高輝度の被写体を撮影した際に、画像に縦方向の明るい帯ができるいわゆるスミアが発生することが知られており、これらの不都合を解決するための様々な手法が提案されている（特許文献１〜４参照）。
【特許文献１】特開２０００−１０１９２５号公報
【特許文献２】特開２００２−３１４０５５号公報
【特許文献３】特開２００５−３９７２７号公報
【特許文献４】特開２００５−１０１７９１号公報
【発明の開示】
【発明が解決しようとする課題】
【０００４】
ＣＣＤでは、上記に挙げた白キズやスミアの他に、垂直ＣＣＤの転送効率が悪い場合、隣接する画素の信号電荷のクロストークが増し、最終的に得られる画像にスジ状の段差（縦線キズ）ができるという問題があった。この問題は、同一列の垂直ＣＣＤで赤色と青色を転送する場合や、被写体が暗い場合に特に顕著となる。
【０００５】
しかしながら、従来、この縦線キズを効果的に抑制する方法がなかったため、製品出荷時の検査段階で転送効率の悪いＣＣＤを撥ねざるを得ず、製品歩留りを著しく低下させていた。
【０００６】
本発明は、上記課題を鑑みてなされたものであり、より高画質な画像を得ることができ、製品歩留りを向上させることができる撮像装置を提供することを目的とする。
【課題を解決するための手段】
【０００７】
上記目的を達成するために、本発明は、２次元配置された複数の光電変換素子と、光電変換素子の垂直列毎に設けられ、各光電変換素子からの信号電荷を垂直転送する複数本の垂直ＣＣＤと、垂直ＣＣＤから転送される１ライン分の信号電荷を水平転送する水平ＣＣＤとを有し、信号電荷に応じた撮像信号を出力する固体撮像素子が搭載された撮像装置において、垂直ＣＣＤの転送不良に起因する縦線キズを抑制する縦線キズ抑制手段を備えたことを特徴とする。
【０００８】
なお、前記縦線キズ抑制手段は、同一列の垂直ＣＣＤで赤色と青色を転送する場合に作動することが好ましい。
【０００９】
また、前記縦線キズ抑制手段は、前記固体撮像素子で撮像される被写体の色温度が予め設定された閾値よりも小さいときに作動することが好ましい。
【００１０】
前記縦線キズ抑制手段は、前記撮像信号のうちの赤色と青色の信号に対する増幅値が予め設定された閾値よりも大きいときに作動することが好ましい。
【００１１】
前記縦線キズ抑制手段は、前記縦線キズに対応する特定の周波数の信号に対して急峻な減衰を施す特定帯域減衰フィルタであることが好ましい。
【００１２】
この場合、前記特定帯域減衰フィルタは、前記撮像信号のうちの青色の信号の出力に接続されていることが好ましい。また、前記特定の周波数は、前記撮像信号の転送クロックの周波数をサンプリング周波数として、その１／２のナイキスト周波数であることが好ましい。
【００１３】
前記縦線キズ抑制手段は、ＩＳＯ感度を予め設定された値の範囲内で下げるＩＳＯ感度調節手段であることが好ましい。
【００１４】
前記固体撮像素子は、前記垂直ＣＣＤから転送される１ライン分の信号電荷を一旦蓄積して前記水平ＣＣＤに出力するラインメモリを有し、前記縦線キズ抑制手段は、前記垂直ＣＣＤと前記ラインメモリ、および／または前記ラインメモリと前記水平ＣＣＤの間の、前記信号電荷を転送する際の電位ポテンシャルが、後段に向けて急勾配となるように、前記ラインメモリ、および／または前記水平ＣＣＤに印加する電圧を上げる電圧調節手段であることが好ましい。
【発明の効果】
【００１５】
本発明の撮像装置によれば、垂直ＣＣＤの転送不良に起因する縦線キズを抑制する縦線キズ抑制手段を備えたので、より高画質な画像を得ることができ、製品歩留りを向上させることができる。
【発明を実施するための最良の形態】
【００１６】
図１において、ＣＣＤ２は、入射光をその光量に応じた信号電荷に変換して蓄積する複数個の光電変換素子（ＰＤ）１０と、ＰＤ１０の垂直列毎に設けられ、各ＰＤ１０からの信号電荷を垂直転送する複数本の垂直ＣＣＤ（ＶＣＣＤ）１１と、ＶＣＣＤ１１から転送される１ライン分の信号電荷を水平転送する水平ＣＣＤ（ＨＣＣＤ）１２と、ＨＣＣＤ１２によって転送された信号電荷を信号電圧（撮像信号）に変換して出力するフローティングディフュージョンアンプ（ＦＤＡ）１３とを有する。
【００１７】
ＰＤ１０は、その外形が八角形となるように形成されており、所定のピッチでハニカム状に配列されている。ＰＤ１０上には、図示しないカラーフィルタやマイクロレンズが積層されている。なお、図中のＲＧＢの表記は、カラーフィルタによる赤、緑、青色の配置を示しており、ＣＣＤ２では、同一列のＶＣＣＤ１１で赤色と青色を転送する。
【００１８】
ＶＣＣＤ１１は、いわゆる２相ＣＣＤが採用されている。図中点線の矢印で示すように、ＶＣＣＤ１１は、トランスファーゲート（図示せず）を介して、各ＰＤ１０から信号電荷を受け取り、図中上方から下方に向けて信号電荷を順次転送していく。
【００１９】
ＨＣＣＤ１２は、ＶＣＣＤ１１の最終段に接続されている。ＨＣＣＤ１２は、図中点線の矢印で示すように、ＶＣＣＤ１１から受け取った１ライン分の信号電荷を、図中右方から左方に向けて１列ずつＦＤＡ１３に転送していく。
【００２０】
図２において、ＣＣＤ２を固体撮像素子として搭載したデジタルカメラ２０は、バス２１を介して、ＣＰＵ２２により全体を統括的に制御される。デジタルカメラ２０は、光学系２３、アナログ信号処理回路２４、Ａ／Ｄ変換回路（Ａ／Ｄ）２５、バッファメモリ２６、圧縮伸長処理回路２７、ＹＣ処理回路２８、測光・測距回路２９、およびタイミングジェネレータ（ＴＧ）３０などから構成される。
【００２１】
光学系２３は、フォーカスレンズやズームレンズからなる撮像レンズ３１や絞り３２からなる。撮像レンズ３１および絞り３２には、レンズモータ３３およびアイリスモータ３４が接続されている。これらのモータ３３、３４はステッピングモータからなり、測光・測距回路２９に接続されたモータドライバ３５から送信される駆動パルスにより動作制御される。
【００２２】
レンズモータ３３は、撮像レンズ３１のズームレンズをワイド側、あるいはテレ側に移動させる。また、ズームレンズの変倍などに応じて撮像レンズ３１のフォーカスレンズを移動させ、撮影条件が最適となるように焦点調整を行う。アイリスモータ３４は、絞り３２を動作させ、露出調整を行う。これらのモータ３３、３４による焦点調整、および露出調整は、測光・測距回路２９による被写体の測光・測距結果に基づいて行われる。
【００２３】
アナログ信号処理回路２４は、ＣＣＤ２から出力された撮像信号に対して、相関二重サンプリング、増幅、ホワイトバランス調整などの周知のアナログ信号処理を施してＡ／Ｄ２５に出力する。Ａ／Ｄ２５は、アナログ信号処理回路２４から入力されたアナログ信号をデジタルの画像信号に変換してバッファメモリ２６に出力する。バッファメモリ２６は、Ａ／Ｄ２５でデジタル化された画像信号を一旦格納する。
【００２４】
圧縮伸長処理回路２７は、バッファメモリ２６に格納された画像データを、所定の圧縮方式、例えばＪＰＥＧ方式で圧縮するとともに、圧縮した画像データを伸長して元のデータに戻す。圧縮伸長処理回路２７で圧縮された画像データは、カードＩ／Ｆ３６を経由してメモリカード３７に記憶される。
【００２５】
ＹＣ処理回路２８は、バッファメモリ２６に格納された画像データを輝度信号Ｙと色差信号Ｃｒ、Ｃｂとに変換する。ＹＣ処理回路２８でＹＣ変換された画像データは、ＬＣＤドライバ３８でアナログのコンポジット信号に変換され、ＬＣＤ３９にスルー画像として表示される。
【００２６】
測光・測距回路２９は、被写体の輝度、および被写体までの距離を検出し、この検出結果に基づいて、適正な焦点距離および露出量となるようにモータドライバ３５を駆動制御する。タイミングジェネレータ（ＴＧ）３０は、前述のアナログ信号処理回路２４、Ａ／Ｄ２５、ＹＣ処理回路２８とともに、ＣＣＤ２の駆動を制御するＣＣＤドライバ４０に接続している。ＴＧ３０は、これら各部にタイミング信号（クロックパルス）を送信する。ＣＣＤドライバ４０は、ＴＧ３０から送信されるタイミング信号に基づいて、ＣＣＤ２の動作を制御する。
【００２７】
ＣＰＵ２２には、レリーズボタン４１、操作部４２、およびＥＥＰＲＯＭ４３が接続されている。レリーズボタン４１は、２段階押しのスイッチとなっている。レリーズボタン４１を軽く押圧（半押し）すると、自動露出調整（ＡＥ）、自動焦点調整（ＡＦ）などの各種撮影準備処理が施される。この状態でレリーズボタン４１をもう１度強く押圧（全押し）すると、撮影準備処理が施された１画面分の撮像信号が画像データに変換された後、前述のＹＣ処理および圧縮処理が施され、メモリカード３７に記憶される。
【００２８】
操作部４２は、ズームレンズをワイド側、テレ側に変倍するズーム操作ボタン、ＬＣＤ３９にメニュー画面を表示させる際や、選択内容を決定する際に操作されるメニューボタン、メニュー画面内でカーソルを移動させる十字キー、デジタルカメラ２０の動作モード（静止画撮影モード、動画撮影モード、再生モード、および設定モードなど）を切り替えるモードダイヤルなどから構成される。ＣＰＵ２２は、前述のレリーズボタン４１、および操作部４２からの操作入力信号に基づいて、デジタルカメラ２０の各部を動作させる。
【００２９】
ＥＥＰＲＯＭ４３には、各種制御用のプログラムや設定情報などが記録されている。ＣＰＵ２２は、これらの情報をＥＥＰＲＯＭ４３から内蔵ＲＡＭに読み出して、各種処理を実行する。
【００３０】
図３に示すように、アナログ信号処理回路２４には、色分離部５０と、画素補間部５１とが設けられている。色分離部５０は、ＣＣＤ２から出力された撮像信号をｒｇｂ（赤、緑、青）の三色の信号に分離し、それぞれを画素補間部５１に送信する。画素補間部５１は、色分離部５０で色分離されたｒｇｂ信号を用いて、実際にＰＤ１０が存在しない位置、すなわち仮想画素のＲＧＢ信号を含む全画素の信号を、所定の演算により作成する。
【００３１】
画素補間部５１の青色の信号Ｂの出力端には、特定帯域減衰フィルタであるノッチフィルタ（ＮＦ）５２が接続されている。ＮＦ５２は、アナログ信号処理回路２４でホワイトバランス調整を行う際に求められる被写体の色温度が予め設定された閾値（例えば、３０００Ｋ）よりも小さく、且つ赤色と青色の信号Ｒ、Ｂに対する増幅値が予め設定された閾値よりも大きいとき、つまり被写体が暗く増幅のゲインを上げる場合に作動する。
【００３２】
図４に示すように。ＮＦ５２は、所定のフィルタ係数τ１〜τ５、およびｋ１〜ｋ３を用いて青色の信号Ｂにフィルタ演算をかける。すなわち、図５に示すように、ＮＦ５２は、撮像信号の転送クロックの周波数をサンプリング周波数ｆｓとして、その１／２のナイキスト周波数１／２ｆｓの信号に対して急峻な減衰を施して、信号Ｂ’を出力する。ＮＦ５２を通過した青色の信号Ｂ’は、ＶＣＣＤ１１の転送不良に起因する縦線キズが抑制されたものとなる。アナログ信号処理回路２４は、この信号Ｂ’と、画素補間部５１から出力された赤色、緑色の信号Ｒ、Ｇに対して、以降の各処理を施す。
【００３３】
一方、被写体の色温度が予め設定された閾値よりも大きい、および／または赤色と青色の信号Ｒ、Ｂに対する増幅値が予め設定された閾値よりも小さいとき、ＮＦ５２は作動しない。アナログ信号処理回路２４は、画素補間部５１から出力された信号Ｒ、Ｇ、Ｂの信号に対して、以降の各処理を施す。
【００３４】
次に、上記構成を有するデジタルカメラ２０の動作について説明する。まず、デジタルカメラ２０で被写体の撮影を行う際には、操作部４２の電源スイッチを操作してデジタルカメラ２０の電源を投入し、モードダイヤルを操作して静止画撮影モード、あるいは動画撮影モードを選択する。
【００３５】
撮影モード下において、撮像レンズ３１、絞り３２を介して入射した被写体光は、ＣＣＤ２のＰＤ１０に入射される。ＣＣＤ２では、ＰＤ１０で入射光が信号電荷に変換され、ＣＣＤドライバ４０の制御の下に、各ＰＤ１０からの信号電荷がＶＣＣＤ１１を経てＨＣＣＤ１２からＦＤＡ１３に転送され、ＦＤＡ１３で信号電圧（撮像信号）に変換されてアナログ信号処理回路２４に出力される。
【００３６】
アナログ信号処理回路２４では、色分離部５０でＣＣＤ２から出力された撮像信号がｒｇｂの三色の信号に分離され、画素補間部５１で仮想画素のＲＧＢ信号を含む全画素の信号が作成される。そして、被写体の色温度が予め設定された閾値よりも小さく、且つ赤色と青色の信号Ｒ、Ｂに対する増幅値が予め設定された閾値よりも大きいときは、ＮＦ５２が作動される。
【００３７】
ＮＦ５２が作動された場合、青色の信号Ｂは、撮像信号の転送クロックの周波数ｆｓのナイキスト周波数１／２ｆｓの信号に対して急峻な減衰が施され、ＶＣＣＤ１１の転送不良に起因する縦線キズが抑制された信号Ｂ’として出力される。アナログ信号処理回路２４における以降の各処理は、ＮＦ５２から出力された信号Ｂ’と、画素補間部５１から出力された赤色、緑色の信号Ｒ、Ｇの信号に施される。
【００３８】
一方、被写体の色温度が予め設定された閾値よりも大きい、および／または赤色と青色の信号Ｒ、Ｂに対する増幅値が予め設定された閾値よりも小さいときは、ＮＦ５２は作動されず、元のままの信号Ｒ、Ｇ、Ｂに各処理が施される。
【００３９】
アナログ信号処理回路２４では、撮像信号に対して各種アナログ信号処理が施される。アナログ信号処理回路２４で信号処理された撮像信号は、Ａ／Ｄ２５でデジタルの画像信号に変換され、バッファメモリ２６に一旦格納される。
【００４０】
バッファメモリ２６に格納された画像データは、ＹＣ処理回路２８に読み出され、輝度信号Ｙと色差信号Ｃｒ、Ｃｂとに変換された後、ＬＣＤドライバ３８を介してＬＣＤ３９にスルー画像として表示される。この状態でレリーズボタン４１が半押しされると、測光・測距回路２９の検出結果に基づいて、ＣＰＵ２２により各部の動作が制御され、撮影準備処理が施される。
【００４１】
撮影準備処理後、レリーズボタン４１の全押しにより撮影が実行されると、静止画撮影モード下では、そのときバッファメモリ２６に記録されている画像データが圧縮伸長処理回路２７で圧縮処理され、カードＩ／Ｆ３６を経由してメモリカード３７に記憶される。
【００４２】
一方、動画撮影モード下では、レリーズボタン４１が再度全押しされるまで、一定のフレームレート（例えば３０フレーム／秒）で画像データが記憶される。また、これと同時にマイクロホン（図示せず）を介して周囲の音声が収録される。マイクロホンで収録された音声は、画像データと関連付けられてメモリカード３７に記憶される。
【００４３】
以上説明したように、ＮＦ５２を用いて、ＶＣＣＤ１１の転送不良に起因する縦線キズを抑制するようにしたので、縦線キズの目立たない画質の良好な画像を得ることができる。また、製品の検査段階でＶＣＣＤ１１の許容範囲を拡げることができる。
【００４４】
なお、ＶＣＣＤ１１の転送不良に起因する縦線キズを抑制する方法としては、上記実施形態のＮＦ５２を用いる他に、図６に示すように、ＣＣＤドライバ４０内のＩＳＯ感度調節部６０で、測光・測距回路２９の検出結果に基づいて設定されたＩＳＯ感度を、予め設定された値の範囲内で下げるようにしてもよい。例えば、ＩＳＯ感度２００であった場合（正味のＩＳＯ感度１８０）は、下限値であるＩＳＯ感度１６０まで下げる。これにより、アナログ信号処理回路２４における増幅値が結果的に下がり、縦線キズも抑制することができる。
【００４５】
また、図７に示すように、ＶＣＣＤ１１から転送される１ライン分の信号電荷を一旦蓄積してＨＣＣＤ１２に出力するラインメモリ（ＬＭ）７１を有するＣＣＤ７０を用いた場合は、図８に示すＣＣＤドライバ４０内の電圧調節部８０で、ＶＣＣＤ１１とラインメモリ７１、および／またはラインメモリ７１とＨＣＣＤ１２の間の、信号電荷を転送する際の電位ポテンシャルが、後段に向けて急勾配となるように、つまり信号電荷が転送しやすくなるように、ラインメモリ７１、および／またはＨＣＣＤ１２に印加する電圧を上げるようにしてもよい。
【００４６】
この場合、例えば、図９に模式的に示すように、ＬＭ７１に印加する電圧を、通常の５．０Ｖから１０．０Ｖに上げ、ＨＣＣＤ１２に印加する電圧を、通常の３．３Ｖから５．０Ｖに上げる。このようにすると、ＶＣＣＤ１１の最終段からＬＭ７１、ＬＭ７１からＨＣＣＤ１２への信号電荷の転送効率が上がり、上記に挙げた方法と同様に、縦線キズを抑制することができる。また、被写体の色温度が予め設定された閾値よりも小さく、且つ赤色と青色の信号Ｒ，Ｂに対する増幅値が予め設定された閾値よりも大きいときにのみ電圧を上げるので、電圧を上げたことによる消費電力の増大も問題にならない程度に抑えられる。
【００４７】
上記実施形態では、ＰＤ１０がハニカム配列されたＣＣＤ２、７０を例示して説明したが、いわゆるベイヤー配列でもよく、カラーフィルタによるＲＧＢの配置についても、本発明を特に限定するものではない。また、全画素読み出し時は同一列の垂直ＣＣＤで赤色と青色を転送し、インターライン読み出し時は赤色と青色を転送しないＣＣＤに本発明を適用した場合は、縦線キズが特に目立つ同一列の垂直ＣＣＤで赤色と青色を転送する全画素読み出し時にのみ縦線キズを抑制するようにしてもよい。
【００４８】
上記実施形態では、撮像装置として、デジタルカメラ２０を例示して説明したが、本発明はこれに限定されず、他の撮像装置、例えば、カメラ付き携帯電話などにも適用することができる。
【図面の簡単な説明】
【００４９】
【図１】ＣＣＤの概略構成を示す図である。
【図２】デジタルカメラの内部構成を示すブロック図である。
【図３】アナログ信号処理回路の内部構成を示すブロック図である。
【図４】ノッチフィルタの構成を示す図である。
【図５】ノッチフィルタの特性を示すグラフである。
【図６】本発明の別の実施形態におけるＣＣＤドライバの内部構成を示すブロック図である。
【図７】本発明のさらに別の実施形態におけるＣＣＤの概略構成を示す図である。
【図８】本発明のさらに別の実施形態におけるＣＣＤドライバの内部構成を示すブロック図である。
【図９】本発明のさらに別の実施形態における垂直ＣＣＤ、ラインメモリ、および水平ＣＣＤ間の電位ポテンシャルの遷移を表す説明図である。
【符号の説明】
【００５０】
２、７０  ＣＣＤ
１０  光電変換素子（ＰＤ）
１１  垂直ＣＣＤ（ＶＣＣＤ）
１２  水平ＣＣＤ（ＨＣＣＤ）
１３  フローティングディフュージョンアンプ（ＦＤＡ）
２０  デジタルカメラ
２２  ＣＰＵ
２４  アナログ信号処理回路
２９  測光・測距回路
４０  ＣＣＤドライバ
５２  ノッチフィルタ（ＮＦ）
６０  ＩＳＯ感度調節部
７１  ラインメモリ（ＬＭ）
８０  電圧調節部
【図１】
2007088621.tif 000003
【図２】
2007088621.tif 000004
【図３】
2007088621.tif 000005
【図４】
2007088621.tif 000006
【図５】
2007088621.tif 000007
【図６】
2007088621.tif 000008
【図７】
2007088621.tif 000009
【図８】
2007088621.tif 000010
【図９】
2007088621.tif 000011